(57)【要約】【目的】折畳んでコンパクトにできる携帯トイレ−パックを創意工夫し、登山・行楽等に容易に持ち歩ける物品にしょうとするものである。更に、自動車内などに容易に保管できる物品にすると同時に災害等の用意にストックできる物品にしょうとするものである。【構成】容器１にフタ２・支柱継手３と受継手４で一対を成す脚立装置・折込線５・折曲線６・鉤７とネジ８で一対を成すフタ閉止具等から構成されるものである。【選択図】図１
2004024845.tif 000002
【特許請求の範囲】
【請求項１】
外側面に内部の液体が漏れでない構造の容器を作り、この容器の開口部を塞ぐフタを備える。容器の両側面に脚立固定装置を取付けて、折り畳んだ容器を脚立させた際に脚立固定の状態を保つようにした。
以上の事柄を特徴とする携帯トイレ−パック。
【発明の詳細な説明】
【０００１】
【発明の属する技術分野】
本発明は山野での人の糞尿による自然破壊の防止や大災害に備えて、糞尿による伝染病の発生を未然に防ぐ一助とする。
更に道路渋滞時などの緊急用としても利用し易くする。
これらの為に、折り畳めてコンパクトにできる携帯トイレ−パックに関するものである。
【０００２】
【従来の技術】
主な従来の携帯トイレについて述べると。
１−特願平７−５６４２８の携帯トイレ用マントと便器及び受袋と特願平１１−２２７８６７の携帯トイレは使用の際に準備に手数がかかった。それで、急な時に間に合わずにひどいめに遭う。
２−販売品でプラスチックの筒の一端にキャップが付き、他の一端にゴム袋を付けた排尿バッグがあった。このバッグに尿を入て置く場合にキャップがどうしても横向きになる。
そして、これを車の座席等に置いてスタートすると、中の尿がどぼどぼと音を発して、ゴム袋は大きく波を打って揺れ動く。それでキャップが外れないかと気が気でなく安全運転を妨げられた。
それで、これらの物を使用する人は少ない。それで、富士山のある斜面では登山者がトイレの時に出したテイッシュで真っ白に光り輝いているとか。十勝岳の貴重な高山植物群が糞尿で絶滅の危機にあるとかが新聞報道がなされた。
このような糞尿による自然破壊は世界的に進んでいるようで、この事を長期的な観点でみると海洋資源や農業に悪影響を必然的に及ぼす事は明白である。
更には道路渋滞時に車内で幼子がトイレのことで泣き叫び、それで両親は困り果てた。
【０００３】
【発明が解決しようとする課題】
従って、上記の物の欠点を廃して、折り畳ん物を速やかに本来の形状に復旧でき、更に携帯に際して支障をきたさない。このような簡易な携帯トイレを作ろうとするものである。
【０００４】
【課題を解決するための手段】
それで、折り畳んだ物を速やかに本来の形状に復旧させる方法としては、容器の胴の任意の高さの位置に折込をつけ、この折込から上下に容器を折り畳む事である。そして、折り畳んだ物を脚立させた時に、この脚立の状態を保つ為の固定装置を備える。固定装置は種々考えられるが簡単で確実な物がよい。
次に携帯の際に支障のない物とする方法には、図１のように外側の底を平らにして、開口部を上向きにする事である。
更に、外側面に内部の液体が漏れでない構造とするには、容器の材質を加工紙・プラスチック・厚紙に合成樹脂やアルミホイル等を貼り付た物。などとする方法がある。
【０００５】
【作用】
この物の使用方法を図１を例にして説明すると。
１−折り畳んである、この物を脚立させ上側の継手を下側の継手に掛け連結させる。そして、フタを開け適当な高さに持つ。或いは適当な高さの所に置いて用をたす。
２−使用し終わったらフタを閉め、脚立の状態で家に持ち帰る。そして、中の物を水洗トイレ等で流す。用済みの物をゴミとしてゴミの収集にだす。
３−使用前にトイレット−ペーパー等の液吸収体を容器の中に入れておくと、中に入った尿は動きなどで波打つことはない。
更に、固形排泄物用の容器については、中の排泄物を水洗トイレ等に容易に移すかえる事ができる。
【０００６】
【実施例】
図１の物を例として、その製作過程を通し説明すると。
１−牛乳パック等に使われている加工紙を容器・枠・フタの型に型描きをする。
そして、折込線と折曲り線の部分にプレスがけをする。
２−型描きした容器の接合部を接着剤で接着させて組立る。そして、この容器の左右側面に折込線を境にその上側に堅紙またはプラスチックの板と上側継手をリベットで継手が回るようにして留める。それから、この板の裏面にリベット部分の周りを除き接着剤を付け、図のように貼り付ける。
次にピンのついた板をプラスチック成型する。そして、容器を脚立させた際に上側の継手のジョエント部分がくる位置にこの板を図のように貼り付ける。３−組立てた枠を容器に接着して取付ける。更に、フタも組立てこの内部にパッキンをはめ込む。それから、この容器とフタとを蝶番で連結する。そして、容器とフタには留め具を継手の取付けの要領で取付ける。取っ手も布・紙・合成樹脂等を素材として作り、図のように接着剤で取付ける。
この留め具にはさまざまな物があるが簡単で確実な物がよい。
【０００７】
【発明の効果】
本発明の物は折畳んでコンパクトにできるから、携帯用の簡易トイレとしては最適の物である。山野に出掛ける時には、折畳んで荷物の嵩張りを防ぐ。
更に、帰りには弁当などが減るから、容器を脚立しても荷物が嵩張ることはない。それで、これを携帯し利用する事で糞尿による山野の自然破壊を防ぐ事ができる。加えて、保管に便利であるから大災害時に利用して糞尿による伝染病を防止でき、渋滞時の車内での緊急の時にも速やかに使用できる。
【図面の簡単な説明】
【図１】小用の携帯トイレ−パックを示す斜視図である。
【図２】小用２の携帯トイレ−パックを示す斜視図である。
【図３】大用の携帯トイレ−バックを示す斜視図である。
この図１と図２を図３のように容器の前後面を折り込ませて固定装置を取付けてもよく、図３を図１と図２のように容器の前後面を折り曲げてもよい。
【図４】補強組で強度を高めて腰掛けが出来るようにした、オマルるを示す斜視図である。
【図５】図４の補強材と内側材を取り除き外側材だけにとたオマルの斜視
図である。
【符号の説明】
１−容器の左側面
２−フタ
３−固定装置
４−開口部
５−折込線
６−補強組
尚、容器開口部の形状は用途に支障ない限り任意の形状でよく、容器とフタも楕円形など任意の形状としてよい。
【図１】
2004024845.tif 000003
【図２】
2004024845.tif 000004
【図３】
2004024845.tif 000005
【図３】
2004024845.tif 000006
【手続補正書】
【提出日】平成15年6月2日(2003.6.2)
【手続補正１】
【補正対象書類名】明細書
【補正対象項目名】図面の簡単な説明
【補正方法】変更
【補正の内容】
【図面の簡単な説明】
【図１】実施例１を示す斜視図である。
【図２】実施例２を示す斜視図である。
【図３】実施例３を示す斜視図である。
【図４】実施例４を示す底面図である。
【図５】実施例５を示す斜視図である。
【図６】実施例６を示す斜視図である。
【図７】実施例７を示す斜視図である。
【図８】実施例８を示す斜視図である。
【符号の説明】
１−容器
２−フタ
３−鉤　　　　　　　　　　　　　１３−右側
４−ネジ摘み　　　　　　　　　　１４−左側
５−折込線　　　　　　　　　　　１５−前部
６−折曲線　　　　　　　　　　　１６−後部
７−支柱継手　　　　　　　　　　１７−調整孔
８−受継手　　　　　　　　　　　１８−留めピン
９−便座擬き　　　　　　　　　　１９−輪
１０−便座擬き枠　　　　　　　　　２０−袋掛け鉤
１１−取っ手　　　　　　　　　　　２１−防水袋
１２−蝶番　　　　　　　　　　　　２２−引っ掛け孔
尚、容器開口部の形状は用途に支障ない限り任意の形状でよく、容器とフタも楕円形など任意の形状としてよい。




【手続補正書】
【提出日】平成15年6月2日(2003.6.2)
【手続補正１】
【補正対象書類名】明細書
【補正対象項目名】特許請求の範囲
【補正方法】変更
【補正の内容】
【特許請求の範囲】
【請求項１】
容器を作り、この容器に開口部を塞ぐフタを備える。更に容器には、脚立装置を取付けて、折り畳んだ容器を脚立させた際に、脚立装置によって、容器が脚立固定の状態を保つようにした事を特徴とする携帯トイレ−パック。
【手続補正２】
【補正対象書類名】明細書
【補正対象項目名】発明の詳細な説明
【補正方法】変更
【補正の内容】
【発明の詳細な説明】
【０００１】
【発明の属する技術分野】
この発明物品は、容器にフタと脚立装置などを取付けて、折畳んだ容器を再び脚立させた際に、この脚立装置を用いて容器が脚立固定の状態を保つようにする、携帯トイレ−パックに関するものである。
【０００２】
【従来の技術】
従来の主な携帯トイレについては、使用の準備に手数がかかりすぎるものがあった。更に、販売品でプラスチックの筒の一端にキャップが付き、他の一端にゴム袋を付けた排尿バッグがあった。
この排尿バッグに液体を入れ床に置くとキャップは必然的に横向きになる。
それで、この尿入りの排尿バックを自動車のシートに置いて発進したり、リュック等に入れて持ち歩くと中の尿が大きく波を打って揺れ動きキャップが外れないかと不安になった。
適当な携帯トイレが現存しない為と考えられるが、北海道十勝岳の貴重な高山植物群が登山者の排泄物で絶滅の危機にあるとの新聞報道がなされる等、人の汚物による自然破壊は年ごとに深刻さを増しているようである。
加えて、適当な携帯トイレが現存しない為に、交通渋滞に巻込まれた自動車内の子供や婦人はトイレの事では随分と困るのではないかと推測されるのである。
【０００３】
【発明が解決しょうとする課題】
従って従来の携帯トイレの欠点を廃し、折畳んでコンパクトにできる物品を創意工夫し、登山・行楽等に容易に持ち歩ける物品にすると同時に自動車内などに容易に保管できる物品を製作しょうとするものである。
【０００４】
【課題を解決するための手段】
課題解決の為の一例としての製作方法を説明すると。
１−物品の容器とフタの製作としては、防水紙等に容器とフタの展開図を製図する。そして、折込線・折曲線の箇所にプレスをかけて折れ曲がり易くしする。次にこの展開図を切り抜き接合部分は、接着剤で貼りつけて容器とフタの形
状に組立る。この容器とフタは蝶番等で連結して一体化する。
２−フタを閉止状態にしておく為のフタ閉止具としては、留め鉤形と留めネジと
による方法等がある。
このフタ閉止具の素材としては、合成樹脂製・堅紙・木材等が使える。
容器に取付ける方法として留め鉤形はベース裏を接着取付けし、オネジとメネジで一対とする留めネジは、メネジのねじ込み部分周囲を中心に方形の形を
成す付属の鍔を容器内側に接着付けする等の方法がある。
３−脚立装置は、支柱継手と受け継手とで一対とし、この脚立装置によって折畳
んだ容器を脚立固定するなどの方法がある。
この脚立装置の素材としては、合成樹脂製・堅紙・木材などが使用できる。容器に取付ける方法として支柱継手は、ベースに指で回せる固さにリベット打つし、ベースの裏側を容器側面上側に接着取付けし、受け輪継手は付属のベ
ース裏側を容器側面下側に接着取付けする等の方法がある。
４−フタ内側に配置する密閉の為のパッキンは開口部縁端側に密着するように接
着取付けする。パッキンの素材は柔軟な合成樹脂やゴムがある。
５−フタや容器に取付ける取っ手の素材として布・紙・合成樹脂などがよく、取
付け方法は接着剤で貼り付ける。
因みに、フタ閉止具は種種の物が現存し、脚立装置としては、種種の方法が考えられる。それで、フタ閉止具と脚立装置は用途に支障がない限り製作物品に調和した任意の物を使用するのがよい。
【０００５】
【作用】
容器の折畳み方としては。
１−実施例１の図１のものは、フタを少しすかすて、この物品の上と下に掌をあて容器内部方向に圧力を加えて、双方の折込線を容器外側方向に折込むように
して突き出す。
次に容器底面の双方の折曲線を上部方向に折曲げる。更に物品の上と下から容器内部方向に圧力を加えると必然的に図３の折畳みの状態となる。
２−実施例３の図３のものは、フタを少しすかすて、折込線双方の上面に手の指
先をあて、双方の折込線を容器内部方向に折込むようにして突き込む。
次に容器底面の双方の折曲線を上部方向に折曲げて、この物品の上と下から左右の手で容器内部方向に圧力を加えると必然的に図７の折畳み状態となる。つまり、これらの物品は、図１の状態にも図７の状態にも折畳む事ができる。３−更に、実施例の図に示す容器の脚立装置・折込線・折曲線の位置を容器の周囲を軸に９０度、移動させてた位置としても容器を折畳む事ができ、容器の脚
立固定もできる。
【０００６】
折畳んだ容器を脚立固定させるには。
フタと底面の取っ手をそれぞれ左右の手で容器内部の外側方向に引っ張り容器を脚立させ、支柱継手を受け継手に連結させると容器は脚立固定の状態になる。
【０００７】
使用後の後始末としては。
１−容器の中の汚物は水洗トイレ等で流して処理する。使用済み物品はゴミ収集
にだす。
２−前以て容器内にトイレット−ペーパー・パルプ−ポリマ剤等を用意しておく
と、容器内の汚物を水洗トイレ等にあけやすい。
段落番号０００４の記述の物品を厚紙で作り、厚紙製の容器に配置した防水
製の袋やバケットの中にこれらの液吸収体を準備してもあけやすい。
【０００８】
【実施例】
実施例１
図１は実施例１を示す斜視図である。
実施例１の物品は、脚立装置の支柱継手と受け継手を連結させて容器を脚立固定した状態を示すものである。
容器付属の折込線・フタ閉止具の孔バンド・取っ手の位置や状態は図に示す通りである。
フタについては、折曲線の箇所が蝶番の働きをする。フタ付属のパッキンとフタ閉止具の留めピンの位置と状態は図に示す通りである。
【０００９】
実施例２
図２は実施例２を示す斜視図である。
実施例２の図２は実施例１の図１の角度を変えた状態を示すものである。
脚立装置の支柱継手と受け継手は連結を解除した状態である。
【００１０】
実施例３
図３は実施例３を示す斜視図である。
実施例３の図３は実施例１の図１を折畳んだ状態を示すものである。
折畳み方は、段落番号０００５の１の記述の通りである。
【００１１】
実施例４
図４は実施例４を示す底面図である。
実施例４の図４は実施例１の図１の底面で、折曲線と取っ手の状態を示したものである。
【００１２】
実施例５
図５は実施例５を示す斜視図である。
実施例５の物品は、脚立装置の支柱継手と受け継手を連結させて容器を脚立固定させた状態を示すものである。
容器付属の折込線・フタ閉止具の孔バンド・取っ手の位置や状態は図に示すとおりである。フタ付属のパッキンとフタ閉止具の留めピンの位置と状態は図に示す通りである。
【００１３】
実施例６
図６は実施例６を示す斜視図である。
実施例６の図６は実施例５の図５の角度を変えた状態を示したものである。
脚立装置の支柱継手と受け継手は連結を解除した状態を示す。
フタと便座擬き・便座擬きと容器の各間に貼り付けた布テープは蝶番の働きをするものである。
【００１４】
実施例７
図７は実施例７を示す斜視図である。
実施例７の図７は実施例５の図５の折畳んだ状態を示したものである。
折畳み方は、段落番号０００５の２に記述の通りである。
加えて、底面の双方の折曲線と取っ手の位置と状態など、底面図は実施例４の図４と同じである。
【００１５】
図８は実施例８を示す斜視図である。
実施例８のものは、実施例５の図５の容器に配置できる防水袋である。
【００１５】
【発明の効果】
この物品の効果としては。
１−この物品は、折畳む事ができるから登山や行楽に出かける際に携帯しても余り荷物にならない。帰宅の途中に公衆トイレに容器の中の汚物を容易にあけて
処理ができる。
更に、家まで持ち帰っても弁当は無くなっているから、出かける時の荷物の量とそれほど変わらない。それで、荷物の量が増えて煩わしくなる事はない。２−折畳めるから自動車等に容易に保管できる。それで、渋滞に巻き込まれても
安心である。
３−底面は平坦でフタは、フタ閉止具で閉止されているから、自動車等の振動で
フタが開く事はなく使用も素早くできる。
【００１６】
因みに、この発明物品は、幼児や体の不自由な老人等の使用は無理である。それで、図８や図９の便座を備えたオマルにすると腰を掛けて楽な姿勢で使用ができ、自動車のシートの下に積載して携帯もできる。
図８はプラスチックで容器状に外側材と内側材を作り、補強材を間にしてこれらを重ね合わせて容器を作り、これにフタと便座を備えたものである。
補強材には発泡スチロールや桟などがある。




【手続補正書】
【提出日】平成15年6月4日(2003.6.4)
【手続補正１】
【補正対象書類名】図面
【補正対象項目名】全図
【補正方法】変更
【補正の内容】
【図１】
2004024845.tif 000007
【図２】
2004024845.tif 000008
【図３】
2004024845.tif 000009
【図４】
2004024845.tif 000010
【図５】
2004024845.tif 000011
【図６】
2004024845.tif 000012
【図７】
2004024845.tif 000013
【図８】
2004024845.tif 000014
【手続補正書】
【提出日】平成15年8月16日(2003.8.16)
【手続補正１】
【補正対象書類名】図面
【補正対象項目名】全図
【補正方法】変更
【補正の内容】
【図１】
2004024845.tif 000015
【図２】
2004024845.tif 000016
【図３】
2004024845.tif 000017
【図４】
2004024845.tif 000018
【図５】
2004024845.tif 000019
【図６】
2004024845.tif 000020
【図７】
2004024845.tif 000021
【図８】
2004024845.tif 000022
【手続補正書】
【提出日】平成15年8月16日(2003.8.16)
【手続補正１】
【補正対象書類名】明細書
【補正対象項目名】全文
【補正方法】変更
【補正の内容】
【発明の詳細な説明】
【特許請求の範囲】
【請求項１】容器を作り、この容器には開口部を塞ぐフタを備える。更に容器には、脚立装置を取付けて、折り畳んだ容器を脚立させた際に、脚立装置によって、容器が脚立固定の状態を保つようにした事を特徴とする携帯トイレ−パック。
【発明の詳細な説明】
【０００１】
【発明の属する技術分野】
この発明物品は、容器にフタと脚立装置などを取付けて、折畳んだ容器を再び脚立させた際に、この脚立装置を用いて容器が脚立固定の状態を保つようにした、携帯トイレ−パックに関するものである。
【０００２】
【従来の技術】
従来の主な携帯トイレについては、使用の準備に手数がかかりすぎるものがあった。更に、販売品でプラスチックの筒の一端にキャップが付き、他の一端にゴム袋を付けた排尿バッグがあった。
この排尿バッグに液体を入れ床に置くとキャップは必然的に横向きになる。
それで、この尿入りの排尿バックを自動車のシートに置いて発進したり、リュック等に入れて持ち歩くと中の尿が大きく波を打って揺れ動きキャップが外れないかと不安になった。
適当な携帯トイレが現存しない為に、北海道十勝岳の貴重な高山植物群が登山者の排泄物で絶滅の危機にあるとの新聞報道がなされる等、人の汚物による自然破壊は年ごとに深刻さを増している。
加えて、交通渋滞に巻込まれた自動車内の子供や婦人はトイレの事では随分と困難をきたす事は容易に推測される。
【０００３】
【発明が解決しょうとする課題】
従って従来の携帯トイレの欠点を廃し、折畳んでコンパクトにできる物品を創意工夫し、登山・行楽等に容易に持ち歩ける物品にすると同時に自動車内や家庭内等に容易に保管できる物品を製作しょうとするものである。
【０００４】
【課題を解決するための手段】
課題解決の為の一例としての製作方法を説明すると。
１ー物品の容器とフタの製作は、防水紙等に容器とフタの展開図を製図する。
そして、折込線１０・折曲線１１の箇所にプレスがけをして折れ曲がり易くする。
次にこの展開図を切り抜き接合部分は、接着剤で貼りつけて容器とフタの形状に組立る。この容器とフタは折曲線１１で連結できる。
２ーフタを閉止状態にするフタ閉止具は、図のような扁平の環と鉤状のものを一対とする方法等がある。
このフタ閉止具の素材には、合成樹脂・堅紙・木材等がある。
取付け方は、フタ閉止具Ａはその一端の裏側をフタ２４の縁に接着させる。
フタ閉止具Ｂはその一端を容器前部１に貫通させ、その端を上か下に折り曲げ、折り曲げ部分を容器前部に接着して取付ける。
３ー脚立装置は、支柱継手１２と受継手１３とで一対とし、この脚立装置で折畳んだ容器を脚立固定する方法がある。
この脚立装置の素材には、合成樹脂製・堅紙・木材などがある。
支柱継手１２を容器に取付けるには、支柱継手１２の一端側と容器側面にリベット１１を貫通させ、貫通のリベット端に幅広のリングを嵌め接着する。
この接着は、支柱継手１２が指で回せる固さに接着する。
４ーフタ内側３のパッキン配置は、合成樹脂あるいはゴム製の物を図に示すようにフタ内側を一周させて接着取付けする。
５ーフタや容器の取っ手としては、布・紙・合成樹脂製等の物を素材に用い、取っ手を形づくり、この両端をフタや容器に接着する。
因みに、フタ閉止具や脚立装置は、種種の方法が考えられる。それで、フタ閉止具と脚立装置は用途に支障がない限り製作物品に調和した任意の物を用いるのがよい。
【０００５】
【作用】
容器の折畳み方として、次の二種類を説明すると。
１−第一の方法は、フタを少し透かす、この物品のフタと底面に掌をあて容器内部方向に圧力を加えて、双方の折畳線を容器外側方向に突き出す。
次に容器底面の双方の折曲線を上部方向に折曲げ、更に、この物品のフタと底面から容器内部方向に圧力を加えると必然的に折畳みの状態となる。
２−第二の方法は、フタを少し透かすて、折畳線双方の上面に手の指先をあて、双方の折畳線を容器内部方向に突き入れる。
次に容器底面の双方の折曲線を上部方向に折曲げて、フタと底面を左右の手で容器内部方向に圧力を加えると必然的に折畳み状態となる。
３−更に、実施例の図に示す容器の脚立装置・折込線・折曲線の位置を容器の周囲を軸に９０度、移動させてた位置としても容器を折畳む事ができ、容器の脚立固定もできる。
【０００６】
折畳んだ容器を脚立固定させるには。
フタと底面の取っ手をそれぞれ左右の手で容器の外側方向に引っ張り容器を脚立させ、支柱継手を受け継手に連結させると容器は脚立固定の状態になる。
【０００７】
使用後の後始末としては。
１−容器の中の汚物は水洗トイレ等で流して処理する。使用済み物品はゴミ収集にだす。
２−前以て容器内にトイレット−ペーパー・パルプ−ポリマ剤を入れておくと、容器内の汚物を水洗トイレ等に移すやすい。
段落番号０００４の記述の物品を厚紙で作り、厚紙製の容器に配置した防水製の袋やバケットの中にこれらの液吸収体を入れて置いても水洗トイレ等に移すやすい。
【０００８】
【実施例】
実施例１
図１は実施例１を示す斜視図である。
実施例１の物品は、脚立装置の支柱継手１２と受継手１３を連結させて容器を脚立固定した状態を示すものである。
容器付属のフタ閉止具のフタ閉止具Ａの５とフタ閉止具Ｂの６の位置や状態はは図に示す通りである。
更に、フタ内側３のパッキン配置も図に示す通りである。
【０００９】
実施例２
図２は実施例２を示す斜視図である。
実施例２の図２は図１の容器内に汚物袋としてセットできる、パラフィン紙袋２２を示すものである。
セットの時にシール剤保護紙２１を剥がして汚物袋セット縁８に重ねて置くとセットされた紙袋はずれ動くことはない。
【００１０】
実施例３
図３は実施例３を示す斜視図である。
実施例３の図３は実施例１の容器内にバラフィン紙袋２２をセットした状態を示すものである。
【００１１】
実施例４
図４は実施例４を示す斜視図である。
実施例４の図４は実施例１の容器にフタ２４をしてフタ閉止具でロックした状態を示しものである。
脚立装置の支柱継手１２と受継手１３との連結が外され、容器を折畳にかかる状態にある。
【００１２】
実施例５
図５は実施例５を示す斜視図である。
実施例５の図５は、脚立装置の支柱継手１２と受継手１３を連結させて容器の脚立固定を示すものである。
更に、フタ閉止具のフタ閉止具Ａとフタ閉止具Ｂの状態とフタ内側３のパッキン配置も図に示す通りである。
【００１３】
実施例６
図６は実施例６を示す斜視図である。
実施例６の図６は図５の容器内に汚物袋としてセットできる、パラフィン紙袋２２を示すものである。
セットの時にシール剤保護紙２１を剥がして汚物袋セット縁８に重ねて置くとセットされた紙袋はずれ動くことはない。
【００１４】
実施例７
図７は実施例７を示す斜視図である。
実施例７の図７は図５の容器内にパラフィン紙袋２２をセットした状態を示すものである。
【００１５】
図８は実施例８を示す斜視図である。
実施例８の図８は、図５の容器にフタをしてフタ閉止具でロックした状態を示すものである。
脚立装置の支柱継手１２と受継手１３との連結が外され、容器を折畳にかかる状態にある。
上記の図２と図６のパラフィン紙袋２２は、厚紙製の容器にセットすると滲みや洩れ等の支障がなく、防水製の容器にセットしてカートリッジとしても使用できる。
【００１６】
【発明の効果】
１−この物品は、折畳む事ができるから登山や行楽に出かける際に携帯しても余り荷物にならない。
更に、帰宅時には弁当等の荷物の量が減っており、使用済みの物の持ち帰りも荷物の量が増えて煩わしくなる事はない。
２−自動車や家庭等に容易に保管できる。それで、マイカーが渋滞に巻き込まれた時や災害の時には重宝である。
３−底面は平坦であり、フタはフタ閉止具で閉止できるから、自動車等の振動でフタが開き慌てる事はない。
【図面の簡単な説明】
【図１】実施例１を示す斜視図である。
【図２】実施例２を示す斜視図である。
【図３】実施例３を示す斜視図である。
【図４】実施例４を示す斜視図である。
【図５】実施例５を示す斜視図である。
【図６】実施例６を示す斜視図である。
【図７】実施例７を示す斜視図である。
【図８】実施例８を示す斜視図である。
【符号の説明】
１−容器前部　　　　　　　　１３−受継手
２−容器左側面　　　　　　　１４−支柱継手は外し
３−フタ内側　　　　　　　　１５−容器上部
４−パッキン　　　　　　　　１６−取っ手
５−フタ閉止具Ａ　　　　　　１７−汚物袋のフタ
６−フタ閉止具Ｂ　　　　　　１８−汚物袋の取っ手
７−容器開口部　　　　　　　１９−堅紙の開口縁
８−汚物袋セット縁　　　　　２０−シール剤
９−折曲線　　　　　　　　　２１−シール剤保護紙
１０−折畳線　　　　　　　　　２２−パラフィン紙袋
１１−リベット　　　　　　　　２３−シール剥し摘み
１２−支柱継手　　　　　　　　２４−フタ
尚、容器開口部の形状は用途に支障がない限り任意の形状でよく、容器とフタも楕円形など任意の形状としてよい。事件の表示発明の名称携帯トイレ−パック